(57)【要約】【課題】作業者が光パルス試験器の表示画面上で簡単な画面操作を行うことにより、ストレスを感じることなく光信号を伝送する光ファイバの波形情報表示領域を拡大縮小して表示できる光パルス試験器を実現すること。【解決手段】光ファイバに光パルスを入射して戻り光のパワーの時間的変化を測定解析し、測定波形と測定条件および解析情報を表示部の表示画面に表示する光パルス試験器において、  前記表示画面を波形表示領域と波形情報表示領域とメニュー表示領域の３つの領域に分割し、  前記表示画面の一部には、前記メニュー表示領域の表示を選択的にオンオフ制御して前記波形表示領域の大きさを縮小拡大するボタンと、前記波形情報表示領域を選択的に拡大縮小して前記波形表示領域の大きさを縮小拡大するボタン、を設けたことを特徴とするもの。【選択図】  図１
2020101481.tif 000002
【特許請求の範囲】
【請求項１】
光ファイバに光パルスを入射して戻り光のパワーの時間的変化を測定解析し、測定波形と測定条件および解析情報を表示部の表示画面に表示する光パルス試験器において、
前記表示画面を波形表示領域と波形情報表示領域とメニュー表示領域の３つの領域に分割し、
前記表示画面の一部には、前記波形情報表示領域を選択的に拡大縮小して前記波形表示領域の大きさを縮小拡大するボタン、
を設けたことを特徴とする光パルス試験器。
【請求項２】
光ファイバに光パルスを入射して戻り光のパワーの時間的変化を測定解析し、測定波形と測定条件および解析情報を表示部の表示画面に表示する光パルス試験器において、
前記表示画面を波形表示領域と波形情報表示領域とメニュー表示領域の３つの領域に分割し、
前記表示画面の一部には、前記メニュー表示領域の表示を選択的にオンオフ制御して前記波形表示領域の大きさを縮小拡大するボタン、
を設けたことを特徴とする光パルス試験器。
【請求項３】
光ファイバに光パルスを入射して戻り光のパワーの時間的変化を測定解析し、測定波形と測定条件および解析情報を表示部の表示画面に表示する光パルス試験器において、
前記表示画面を波形表示領域と波形情報表示領域とメニュー表示領域の３つの領域に分割し、
前記表示画面の一部には、前記メニュー表示領域の表示を選択的にオンオフ制御して前記波形表示領域の大きさを縮小拡大するボタンと、前記波形情報表示領域を選択的に拡大縮小して前記波形表示領域の大きさを縮小拡大するボタン、
を設けたことを特徴とする光パルス試験器。
【請求項４】
前記表示画面はタッチパネルで構成されていることを特徴とする請求項１から請求項３のいずれかに記載の光パルス試験器。
【発明の詳細な説明】
【技術分野】
【０００１】
本発明は、光パルス試験器に関し、詳しくは、光パルス試験器の動作モード切り換えを行うのにあたり、測定波形を画面に表示させてモニタリングする測定波形画面モードと表示させた測定波形に対して詳細な解析を行う波形解析画面モードとにストレスなく円滑に切り換えることができる光パルス試験器に関するものである。
【背景技術】
【０００２】
光信号によりデータ通信等を行う光通信システムでは、光信号を伝送する媒体として光ファイバが用いられている。光ファイバの敷設、支障移転、保守等においては、光ファイバの長さ、接続箇所の損失、反射等を評価する必要があるが、そのための測定器として光パルス試験器（ＯＴＤＲ：Optical Time Domain Reflectometer）が使用される。
【０００３】
光パルス試験器は、被測定光ファイバに光パルスを入射して後方散乱光やフレネル反射で入射端に戻ってくる光のパワーを時間領域で測定し、表示・解析等を行う。
【０００４】
作業現場における光パルス試験器のユーザーは、持ち運びやすいコンパクトな測定器を求めていることから、必然的に画面表示領域は小さくなる傾向にある。
【０００５】
作業現場では、光ファイバの接続作業をしながら継続的な波形測定を行い、光ファイバの接続作業の成否を確認することもある。
【０００６】
測定波形画像に断線や接続不良などの異常現象が見つかると異常現象個所周辺を拡大表示し、異常現象発生個所における光ファイバの位置情報や光パルス信号の減衰量などを求めて異常現象の原因を推定し必要な処理を実行する。
【０００７】
図８は、従来の光パルス試験器の表示画面の一例を示す構成説明図である。図８において、表示画面１００は、波形表示領域１１０と、波形情報表示領域１２０と、メニュー表示領域１３０の３つの矩形領域に分割されている。
【０００８】
波形表示領域１１０は測定波形を表示する領域であり、左辺１１１が表示画面１００の左辺１０１の近傍に位置し、上辺１１２が表示画面１００の上辺１０２の近傍に位置し、右辺１１３がメニュー表示領域１３０の左辺１３１の近傍に位置し、下辺１１４が波形情報表示領域１２０の上辺１２２の近傍に位置するように形成されている。
【０００９】
波形情報表示領域１２０は波形表示領域１１０に表示される測定波形に関連した情報を表示する領域であり、左辺１２１が表示画面１００の左辺１０１の近傍に位置し、上辺１２２が波形表示領域１１０の下辺１１２の近傍に位置し、右辺１２３がメニュー表示領域１３０の左辺１３１の近傍に位置し、下辺１２４が表示画面１００の下辺１０４の近傍に位置するように形成されている。
【００１０】
波形情報表示領域１２０は、各種の測定条件を表示する測定条件表示領域１２５と図示しないマーカーで指定された複数の地点間の差分などの解析情報を表示する解析情報表示領域１２６に分割されている。
【００１１】
メニュー表示領域１３０は作業者が所望の解析操作を行うためのメニューを表示する領域であり、左辺１３１が波形表示領域１１０の右辺１１３の近傍および波形情報表示領域１２０の右辺１２３の近傍に位置し、上辺１３２が表示画面１００の上辺１０２の近傍に位置し、右辺１３３が表示画面１００の右辺１０３の近傍に位置し、下辺１３４が表示画面１００の下辺１０４の近傍に位置するように形成されている。
【００１２】
メニュー表示領域１３０は、上部から下部に向かって、Real Time領域ａ、測定波長表示領域ｂ、距離範囲表示領域ｃ、パルス幅表示領域ｄ、平均持続時間またはマーカー表示領域ｅ、Next領域ｆに分割されている。
【００１３】
メニュー表示領域１３０のNext領域ｆの下部には、メニュー表示領域１３０の幅とほぼ等しくなるように縮小された縮小波形表示領域１２７が設けられている。
【００１４】
ところで、作業現場によっては実際に作業する場所と光パルス試験器を置いて測定する場所とが離れていることがあり、表示画面１００が小さいコンパクトな光パルス試験器では作業しながら測定画面を見ることは困難である。
【００１５】
また、作業を行うのにあたり、光パルス試験器の測定条件設定情報、測定波形画像、測定波形の各種パラメータ、測定波形に対する各種の解析情報などが必要であるが、作業者が視覚的に把握しやすいのは測定波形画像であり、波形表示領域１１０をできるだけ大きくすることが望ましい。
【００１６】
そこで、図８に示すように構成された表示画面を有する従来の光パルス試験器では、図９（ａ）〜（ｃ）に示すように複数回の操作手順で波形表示領域１１０を拡大表示している。
【００１７】
図９（ａ）において、作業者がメニュー表示領域１３０の最上部に設けられているReal Time領域ａにタッチすると、図９（ｂ）に示すようにメニュー表示領域１３０の表示が消えて波形表示領域１１０は表示画面１００の右辺１０３の近傍まで水平方向に拡大されるとともに、Real Time領域ａが表示されていた位置の右端にはメニュー表示領域１３０を再び表示させるためのボタンｇが表示される。
【００１８】
波形情報表示領域１２０の上辺右端には、垂直方向にドラッグすることにより波形情報表示領域１２０の高さをドラッグ量に応じた所定の高さに設定するように制御指示するドラッグボタン１２８が表示される。
【００１９】
図９（ｂ）において、波形情報表示領域１２０の上辺右端に表示されたドラッグボタン１２８を垂直下方向にドラッグすると、図９（ｃ）に示すように波形情報表示領域１２０の高さがドラッグ量に応じて低くなるとともに、表示画面１００の右辺１０３の近傍まで水平方向に拡大された波形表示領域１１０は、ドラッグ量に応じて波形情報表示領域１２０が垂直方向に縮小された分だけ垂直方向に拡大される。
【００２０】
図９（ｃ）に示す波形表示領域１１０を拡大表示して波形情報表示領域１２０を垂直方向に縮小した状態から図９（ａ）に示すように波形表示領域１１０を縮小表示しメニュー表示領域１３０を表示させて詳細な解析操作を行うのにあたっては、波形情報表示領域１２０のドラッグボタン１２８を垂直上方向にドラッグして図９（ｂ）の画面に遷移させて波形情報表示領域１２０を垂直方向に拡大表示させ、波形表示領域１１０を垂直方向に縮小させる。その後、ボタンｇを操作してメニュー表示領域１３０を表示させ、波形表示領域１１０を水平方向に縮小させる。
【００２１】
非特許文献１には、敷設した光ファイバ線路の品質を測定するために欠かせない測定器であるＯＴＤＲ（光パルス試験器）の小型化設計技術について記載されている。
【００２２】
特許文献１には、複数のパルス幅の光パルスで戻り光の測定を行い、得られた波形を合成してイベント検出を行う光パルス試験器において、検出されたイベントの妥当性を検証できるようにした光パルス試験器の技術が記載されている。
【先行技術文献】
【非特許文献】
【００２３】
【非特許文献１】「高性能・多機能な小型ＯＴＤＲの開発」、横河技報、横河電機株式会社、２０１２年、Ｖｏｌ．５５  Ｎｏ．１（２０１２）  ｐ．１９〜２２
【特許文献】
【００２４】
【特許文献１】特開２０１６−５３５４２号公報
【発明の開示】
【発明が解決しようとする課題】
【００２５】
しかし、図８に示す構成の表示画面を有する従来の光パルス試験器によれば、波形情報表示領域１２０に測定条件や解析情報が表示されているのでこれらの波形情報に基づく解析操作が簡単に行えるものの、波形表示領域１１０を拡大縮小するための操作手順が煩雑であり、伝送特性を測定確認するための光パルス試験器の操作が作業者に心理的なストレスを与えて作業効率を低下させてしまうおそれがある。
【００２６】
非特許文献１および特許文献１のいずれにも、本願発明のように、表示画面を波形表示領域と波形情報表示領域とメニュー表示領域の３つの領域に分割し、メニュー表示領域の表示を選択的にオンオフ制御して波形表示領域を拡張するとともに、波形情報表示領域も選択的に縮小して波形表示領域を拡張する技術は記載されていない。
【００２７】
本発明は、このような課題を解決するものであり、その目的は、作業者が光パルス試験器の表示画面上で簡単な画面操作を行うことにより、ストレスを感じることなく光信号を伝送する光ファイバの波形情報表示領域を拡大縮小して表示できる光パルス試験器を実現することにある。
【課題を解決するための手段】
【００２８】
このような課題を達成するために、本発明のうち請求項１記載の発明は、
光ファイバに光パルスを入射して戻り光のパワーの時間的変化を測定解析し、測定波形と測定条件および解析情報を表示部の表示画面に表示する光パルス試験器において、
前記表示画面を波形表示領域と波形情報表示領域とメニュー表示領域の３つの領域に分割し、
前記表示画面の一部には、前記波形情報表示領域を選択的に拡大縮小して前記波形表示領域の大きさを縮小拡大するボタン、
を設けたことを特徴とする。
【００２９】
請求項２記載の発明は、
光ファイバに光パルスを入射して戻り光のパワーの時間的変化を測定解析し、測定波形と測定条件および解析情報を表示部の表示画面に表示する光パルス試験器において、
前記表示画面を波形表示領域と波形情報表示領域とメニュー表示領域の３つの領域に分割し、
前記表示画面の一部には、前記メニュー表示領域の表示を選択的にオンオフ制御して前記波形表示領域の大きさを縮小拡大するボタン、
を設けたことを特徴とする。
【００３０】
請求項３記載の発明は、
光ファイバに光パルスを入射して戻り光のパワーの時間的変化を測定解析し、測定波形と測定条件および解析情報を表示部の表示画面に表示する光パルス試験器において、
前記表示画面を波形表示領域と波形情報表示領域とメニュー表示領域の３つの領域に分割し、
前記表示画面の一部には、前記メニュー表示領域の表示を選択的にオンオフ制御して前記波形表示領域の大きさを縮小拡大するボタンと、前記波形情報表示領域を選択的に拡大縮小して前記波形表示領域の大きさを縮小拡大するボタン、
を設けたことを特徴とする。
【００３１】
請求項４記載の発明は、
請求項１から請求項３のいずれかに記載の光パルス試験器において、前記表示画面はタッチパネルで構成されていることを特徴とする。
【発明の効果】
【００３２】
これらの構成によれば、作業者は、表示画面に常に表示されている波形表示領域の大きさを縮小拡大するボタンとメニュー表示領域の表示を選択的にオンオフ制御して波形表示領域の大きさを縮小拡大するボタンをタップ操作することにより、作業の進行状況に応じて見たい表示形態に編集された測定画面を即座に見ることができる。
【００３３】
さらにこれらのボタンは波形表示領域の縮小拡大とメニュー表示領域の表示のオンオフが直感的に把握できるアイコンとして設けられているので、作業者はアイコンを操作する感覚でそれぞれのボタンをタップ操作することができ、光ファイバを用いた光信号伝送回線の作業現場での光パルス試験器による伝送特性測定確認作業などを効率よく行える。
【図面の簡単な説明】
【００３４】
【図１】本発明の表示画面の一実施例を示す構成説明図である。
【図２】図１の画面遷移例図である。
【図３】図２に示した図１の画面遷移状態を模式化して示した説明図である。
【図４】図２および図３に示した波形表示領域１１０の画面遷移説明図である。
【図５】図１の通常画面からの画面遷移の動作の流れを説明するフローチャートである。
【図６】図１のラージ画面からの画面遷移の動作の流れを説明するフローチャートである。
【図７】本発明に基づく光パルス試験器の一実施例を示す構成説明図である。
【図８】従来の光パルス試験器の表示画面の一例を示す構成説明図である。
【図９】従来の光パルス試験器の操作手順説明図である。
【発明を実施するための最良の形態】
【００３５】
以下、本発明の実施の形態について、図面を用いて詳細に説明する。図１は本発明の表示画面の一実施例を示す構成説明図であり、図８と共通する部分には同一の符号を付けている。
【００３６】
図１において、表示画面１００は、図８と同様に、波形表示領域１１０と、波形情報表示領域１２０と、メニュー表示領域１３０の３つの矩形領域に分割されている。
【００３７】
波形表示領域１１０は測定波形を表示する領域であり、左辺１１１が表示画面１００の左辺１０１の近傍に位置し、上辺１１２が表示画面１００の上辺１０２の近傍に位置し、右辺１１３がメニュー表示領域１３０の左辺１３１の近傍に位置し、下辺１１４が波形情報表示領域１２０の上辺１２２の近傍に位置するように形成されている。
【００３８】
波形情報表示領域１２０は波形表示領域１１０に表示される測定波形に関連した情報を表示する領域であり、左辺１２１が表示画面１００の左辺１０１の近傍に位置し、上辺１２２が波形表示領域１１０の下辺１１２の近傍に位置し、右辺１２３がメニュー表示領域１３０の左辺１３１の近傍に位置し、下辺１２４が表示画面１００の下辺１０４の近傍に位置するように形成されている。
【００３９】
波形情報表示領域１２０は、各種の測定条件を表示する測定条件表示領域１２５と図示しないマーカーで指定された複数の地点間の差分などの解析情報を表示する解析情報表示領域１２６に分割されている。
【００４０】
メニュー表示領域１３０は作業者が所望の解析操作を行うためのメニューを表示する領域であり、左辺１３１が波形表示領域１１０の右辺１１３の近傍および波形情報表示領域１２０の右辺１２３の近傍に位置し、上辺１３２が表示画面１００の上辺１０２の近傍に位置し、右辺１３３が表示画面１００の右辺１０３の近傍に位置し、下辺１３４が表示画面１００の下辺１０４の近傍に位置するように形成されている。
【００４１】
メニュー表示領域１３０は、上部から下部に向かって、マーカー領域ｈ、イベント解析領域ｉ、基準トレース領域ｊ、セクション解析領域ｋ、先進測定領域ｍの５つの領域に分割されている。
【００４２】
そして、メニュー表示領域１３０の下辺１３４と縮小波形情報表示領域１２７との間には、ボタン１３５とボタン１３６が設けられている。ボタン１３５は波形表示領域１１０を拡大縮小するときにタップ操作され、ボタン１３６はメニュー表示領域１３０の表示をオンオフするときにタップ操作される。
【００４３】
ボタン１３５は、そのタップ操作に応じて波形情報表示領域１２０を拡大縮小するとともにメニュー表示領域１３０の表示もオンオフ制御し、波形表示領域１１０を水平方向および垂直方向に縮小拡大する。図１のボタン１３５には対角線方向に外向きの矢印のアイコンを付けて、このボタン１３５をタップ操作すると波形表示領域１１０を矩形の対角線方向に拡大表示できることを表している。
【００４４】
ボタン１３６は、タップ操作に応じてメニュー表示領域１３０の表示を選択的にオンオフ制御するとともに、波形表示領域１１０の水平方向の大きさを縮小拡大する。図１のボタン１３６は左方向に開口した不等号のアイコンであり、メニュー表示領域１３０をオンにしてメニューを表示している状態を表している。
【００４５】
図２は、図１の画面遷移例図である。図２において、（ａ）は図１に示した通常画面であり、（ｂ）は（ａ）の通常画面からメニュー表示領域１３０をオフにして波形表示領域１１０を水平方向に拡大したワイド画面であり、（ｃ）は（ｂ）のワイド画面から波形情報表示領域１２０を垂直方向に縮小して波形表示領域１１０を垂直方向にさらに拡大したラージ画面である。
【００４６】
（ａ）に示す通常画面上でボタン１３５をタップ操作すると、メニュー表示領域１３０の表示はオフになり、波形表示領域１１０は水平方向に拡大されて（ｂ）に示すワイド画面に遷移する。ワイド画面上でメニュー表示領域１３０の表示をオンオフ制御するボタン１３６は、（ａ）では左方向に開口していた不等号アイコンが右方向に開口した不等号アイコンに変化する。このボタン１３６の不等号アイコンの変化により、ボタン１３６のタップ操作でメニュー表示領域１３０の表示をオンオフできることを表している。
【００４７】
（ａ）に示す通常画面上または（ｂ）に示すワイド画面上でボタン１３５をタップ操作すると、波形表示領域１１０は（ｃ）に示すラージ画面に遷移する。
【００４８】
（ｃ）に示すラージ画面では、波形情報表示領域１２０はワイド画面よりも垂直方向に縮小されて測定条件表示領域１２５だけが表示され、波形表示領域１１０は波形情報表示領域１２０の縮小に応じてワイド画面よりも垂直方向にさらに拡大される。このラージ画面ではメニュー表示領域１３０の表示を選択的にオンオフ制御するボタン１３６の表示はなく、ボタン１３５には波形情報表示領域１２０を（ａ）に示す通常画面または（ｂ）に示すワイド画面に縮小できることを矩形の対角線方向に内向きの矢印のアイコンで示している。
【００４９】
図３は図２に示した図１の画面遷移状態を模式化して示したものであり、図２と共通する部分には同一の符号を付けている。
【００５０】
（ａ）の通常画面では、波形表示領域１１０と波形情報表示領域１２０の水平方向の幅が等しく、波形表示領域１１０は波形情報表示領域１２０の上部に表示されている。波形表示領域１１０と波形情報表示領域１２０の右側にはメニュー表示領域１３０が表示されていて、メニュー表示領域１３０の下部にはタップ操作に応じて波形情報表示領域１２０を拡大縮小するとともにメニュー表示領域１３０の表示をオンオフ制御するボタン１３５と、タップ操作に応じてメニュー表示領域１３０の表示をオンオフ制御するボタン１３６が表示されている。
【００５１】
（ｂ）のワイド画面ではメニュー表示領域１３０の表示はオフになり、波形表示領域１１０はメニュー表示領域１３０の表示がオフになった幅分に応じて水平方向に拡大して表示される。波形情報表示領域１２０の大きさは通常画面と変わらず同じである。
【００５２】
（ｃ）のラージ画面では、波形情報表示領域１２０はその上辺の高さがボタン１３５の上辺とほぼ同じ高さになるように垂直方向に縮小され、波形表示領域１１０は波形情報表示領域１２０の縮小に応じてワイド画面よりも垂直方向にさらに拡大して表示される。これにより、測定波形をより大きな画面で観測できる。垂直方向に縮小された波形情報表示領域１２０には測定条件表示領域１２５だけが表示されて解析情報表示領域１２６は表示されない。
【００５３】
図４は図２および図３に示した画面遷移に伴う波形表示領域１１０の拡大縮小変化に着目した画面遷移図であり、図５および図６はそれぞれの画面遷移の動作の流れを説明するフローチャートである。
【００５４】
図５（ａ）は、メニュー表示領域１３０が表示されている通常画面から直接ラージ画面に遷移する動作を説明するフローチャートである。波形表示領域１１０が通常画面の状態でボタン１３５をタップ操作すると（ステップＳＰ１）、メニュー表示領域１３０がなく波形情報表示領域１２０を垂直方向に縮小して波形表示領域１１０を水平方向および垂直方向に拡大したラージ画面に遷移する（ＳＰ２）。
【００５５】
図５（ｂ）は、通常画面からワイド画面に遷移した後ラージ画面に遷移する動作を説明するフローチャートである。波形表示領域１１０が通常画面の状態でボタン１３６をタップ操作すると（ＳＰ１）、メニュー表示領域１３０がなく波形情報表示領域１２０を水平方向に拡大したワイド画面に遷移する（ＳＰ２）。ワイド画面の状態でボタン１３５をタップ操作すると（ＳＰ３）、ラージ画面に遷移する（ＳＰ４）。
【００５６】
図５（ｃ）は、通常画面からワイド画面に遷移した後通常画面に遷移する動作を説明するフローチャートである。波形表示領域１１０が通常画面の状態でボタン１３６をタップ操作すると（ＳＰ１）、ワイド画面に遷移する（ＳＰ２）。ワイド画面の状態でボタン１３６をタップ操作すると（ＳＰ３）、メニュー表示領域１３０が表示された通常画面に遷移する（ＳＰ４）。
【００５７】
図６は、ラージ画面から通常画面またはワイド画面に遷移する動作を説明するフローチャートである。波形表示領域１１０がラージ画面の状態でボタン１３５をタップ操作すると（ＳＰ１）、通常画面からラージ画面に遷移したか否かを判断する（ＳＰ２）。通常画面からラージ画面に遷移した場合には通常画面に遷移し（ＳＰ３）、通常画面からラージ画面に遷移しなかった場合にはワイド画面に遷移する（ＳＰ４）。
【００５８】
図７は、本発明に基づく光パルス試験器の一実施例を示す構成説明図である。本発明に基づく光パルス試験器は、表示画面を含む表示部１００、タッチパネル２００、外部インターフェース３００、内器部４００などで構成されている。
【００５９】
内器部４００は、シーケンス制御部４１０、表示制御部４２０、タッチパネル制御部４３０、操作制御部４４０、記憶部４５０、ＯＴＤＲ測定部４６０などで構成されている。
【００６０】
内器部４００にはコネクタ４２１を介して表示部１００が接続され、コネクタ４３１を介してタッチパネル２００が接続され、コネクタ４４１を介してハードキーやソフトキーなどの外部インターフェース３００が接続される。
【００６１】
シーケンス制御部４１０は、表示制御部４２０を介して表示部１００を制御し、操作制御部４４０を介して外部インターフェース３００を制御するとともにさらにタッチパネル制御部４３０を介してタッチパネル２００を制御する。
【００６２】
光ファイバの敷設、支障移転、保守等の作業現場における作業者は、発光／受光ポート４６１に接続作業の対象である被測定光ファイバを接続して光信号伝送特性を測定し、光ファイバの接続作業の成否を確認する。
【００６３】
このように構成される光パルス試験器は、表示画面１００が波形表示領域１１０と波形情報表示領域１２０とメニュー表示領域１３０の３つの領域に分割されていて、表示画面１００に常に表示されている波形表示領域１１０の大きさを縮小拡大するボタン１３５をタップ操作することにより作業の進行状況に応じて測定波形表示領域１１０の大きさが見たい表示形態に編集された測定画面を即座に見ることができ、表示画面１００に表示されているメニュー表示領域１３０の表示を選択的にオンオフするボタン１３６をタップ操作することによりメニュー表示領域１３０の表示を選択的にオンオフして波形表示領域１１０を縮小拡張できる。
【００６４】
これらのボタン１３５、１３６のタップ操作はその手順を記憶していなくても表示画面に表示されるボタン１３５、１３６を見れば操作の内容を把握でき、従来のように光パルス試験器の煩雑な操作手順が作業者に心理的なストレスを与えることはなく、作業者は必要に応じて作業現場で光信号を伝送する光ファイバの光信号伝送特性を測定確認しながら効率よく一連の作業を行うことができる。
【００６５】
以上説明したように、本発明によれば、作業者がストレスを感じることなく光信号を伝送する光ファイバの波形情報表示領域を拡大縮小して表示できる光パルス試験器が実現でき、作業現場での光信号伝送特性を測定する光パルス試験器として好適である。
【符号の説明】
【００６６】
１００  表示画面
１１０  波形表示領域
１２０  波形情報表示領域
１３０  メニュー表示領域
１３５  ボタン（メニュー表示領域オンオフ）
１３６  ボタン（波形情報表示領域拡大縮小）
２００  タッチパネル
３００  外部インターフェース
４００  内器部
４１０  シーケンス制御部
４２０  表示制御部
４３０  タッチパネル制御部
４４０  操作制御部
４５０  記憶部
４６０  ＯＴＤＲ測定部
【図１】
2020101481.tif 000003
【図２】
2020101481.tif 000004
【図３】
2020101481.tif 000005
【図４】
2020101481.tif 000006
【図５】
2020101481.tif 000007
【図６】
2020101481.tif 000008
【図７】
2020101481.tif 000009
【図８】
2020101481.tif 000010
【図９】
2020101481.tif 000011